(57)【要約】    【課題】ベルト幅を微調節することのできるＶリブドベルトの製造方法の提供。    【解決手段】幅広のベルトスラブ８に一定のピッチ（Ｐ）で複数のリブ６を形成する。リブ溝７の中心に沿って設定した除去部９を砥石１０で研削して切断する。先に切断した部位からベルト幅方向に所定の間隔（Ｗ０）をあけて次の切断箇所を設定する。この切断箇所を同様の手順で切断する。ベルトスラブ８が所定のベルト幅（Ｗ）に幅裁されてＶリブドベルト１が得られる。除去部９を除去する分、Ｖリブドベルト１のベルト幅（Ｗ）が、切断箇所の中心間隔（Ｗ０）よりも狭くなる（Ｗ＜Ｗ０）。【選択図】  図１
2009285754.tif 000002
【特許請求の範囲】
【請求項１】
ベルト周方向に連続する複数のリブがベルト幅方向に一定のピッチで配された幅広のベルトスラブを形成し、該ベルトスラブをベルト周方向かつ複数置きのリブ溝の中心に沿ってベルト幅方向に切断して所定のベルト幅のＶリブドベルトを製造する方法であって、前記ベルトスラブを切断する際、切断箇所として設定したリブ溝中心に沿う所定幅の除去部を除去することにより、ベルト側縁から一つ目のリブ溝中心までの幅を前記リブのピッチよりも狭く設定することを特徴とするＶリブドベルトの製造方法。
【請求項２】
前記ベルトスラブの切断箇所を所定幅の砥石で研削することにより、前記除去部を除去してベルトスラブを切断することを特徴とする請求項１に記載のＶリブドベルトの製造方法。
【請求項３】
前記ベルトスラブの切断箇所を所定の間隔を空けて配置された二枚の刃物で切断することにより、前記除去部を除去してベルトスラブを切断することを特徴とする請求項１に記載のＶリブドベルトの製造方法。
【請求項４】
ベルト内周面に、ベルト周方向に連続する複数のリブがベルト幅方向に一定のピッチで形成され、ベルト側縁から一つ目のリブ溝中心までの幅が前記リブのピッチよりも狭く設定されたことを特徴とするＶリブドベルト。
【発明の詳細な説明】
【技術分野】
【０００１】
本発明は、幅広のベルトスラブをベルト幅方向に切断して所定のベルト幅のＶリブドベルトを製造する方法に関するものである。
【背景技術】
【０００２】
一般に、補機への伝動などに使用されるＶリブドベルトは、ベルト側面とプーリフランジとの接触による損傷を防止するよう、プーリフランジとの間に余裕代を確保可能なベルト幅に設定され、そのベルト幅の範囲内に所定の条数のリブが形成されている。
【０００３】
このＶリブドベルトは、一旦、ベルトスラブと称される環状かつ幅広のゴム体を成形し、これにリブプロファイル研磨を施してリブを形成した後、そのベルトスラブをリブ溝の中心に沿って切断して幅裁することによって形成することが多い（例えば特許文献１）。
【特許文献１】特開２００４−５８２５５号公報
【発明の開示】
【発明が解決しようとする課題】
【０００４】
ところが、レイアウトが複雑な場合や、プーリオフセットやミスアライメントを生じた場合には、ベルト側面が背面アイドラやＶリブドプーリのフランジと干渉しやすく、異音を発生させたりＶリブドベルトを破損させたりするおそれがある。
【０００５】
これに対して、Ｖリブドベルトをより狭いベルト幅に設定することにより、フランジとの干渉を防止することが考えられる。ただ、上記のように幅広のベルトスラブをリブ溝の中心に沿って切断してＶリブドベルトを形成する場合、そのベルト幅は、リブピッチの整数倍のうちから選択できるものの、レイアウトの複雑さの度合いなどに応じてベルト幅を微調節することができない。
【０００６】
本発明は、ベルト幅を微調節することのできるＶリブドベルトの製造方法の提供を目的とする。
【課題を解決するための手段】
【０００７】
上記目的を達成するために、本発明に係るＶリブドベルトの製造方法は、ベルト周方向に連続する複数のリブがベルト幅方向に一定のピッチで配された幅広のベルトスラブを形成し、このベルトスラブをベルト周方向かつ複数置きのリブ溝の中心に沿ってベルト幅方向に切断して所定のベルト幅のＶリブドベルトを製造するものであり、ベルトスラブを切断する際、切断箇所として設定したリブ溝中心に沿う所定幅の除去部を除去することにより、ベルト側縁から一つ目のリブ溝中心までの幅をリブのピッチよりも狭く設定するものである。
【０００８】
上記構成によれば、ベルトスラブの切断箇所に設定した除去部を除去することによってベルトスラブを切断するので、ベルトスラブを単に切断する場合よりも、除去部の幅だけベルト幅を狭くすることができる。これにより、ベルトスラブをリブ溝の中心に沿って切断してＶリブドベルトを形成する際、その切断する位置をずらすことなく、ベルト幅を微調節することができる。
【０００９】
ベルトスラブを切断するための具体的な手法としては、ベルトスラブの切断箇所を所定幅の砥石で研削することにより、除去部を除去してベルトスラブを切断する手法、あるいは、ベルトスラブの切断箇所を所定の間隔を空けて配置された二枚の刃物で切断することにより、除去部を除去してベルトスラブを切断する手法を例示できる。
【００１０】
また、本発明は、ベルト内周面に、ベルト周方向に連続する複数のリブがベルト幅方向に一定のピッチで形成され、ベルト側縁から一つ目のリブ溝中心までの幅がリブのピッチよりも狭く設定されたＶリブドベルトを提供する。
【００１１】
この構成によれば、リブピッチを変更することなくベルト幅を狭くすることができるので、リブピッチの共通化を図りつつ、レイアウトが複雑な場合や、プーリオフセットやミスアライメントを生じる場合にも、ベルト側面とフランジとの干渉を阻止して、異音の発生やベルト側面の破損を防止することができる。
【発明の効果】
【００１２】
以上のとおり、本発明によると、ベルトスラブの切断箇所に設定した除去部を除去することによってベルトスラブを切断するので、Ｖリブドベルトのリブピッチの共通化を図りつつ、ベルト幅を微調節することができる。これにより、Ｖリブドベルトのベルト側面とプーリフランジとの干渉を阻止して、異音の発生やベルト側面の破損を防止することができる。
【発明を実施するための最良の形態】
【００１３】
以下、本発明に係るＶリブドベルト及びＶリブドベルトの製造方法を実施するための最良の形態について、図面を用いて説明する。まず、Ｖリブドベルトの構成について説明する。図１は本発明に係るＶリブドベルトの断面図である。
【００１４】
Ｖリブドベルト１は、例えば補機への伝動などに使用されるものであり、リブゴム２の外周側を接着ゴム３を介して帆布４で被覆すると共に、接着ゴム３に心線５を埋設した構造とされ、そのリブゴム２の内周側に、ベルト周方向に連続する複数条（図１においては７条）のリブ６がベルト幅方向に一定のピッチ（Ｐ：例えば３．５６ｍｍ）で形成されている。
【００１５】
Ｖリブドベルト１のベルト側縁から一つ目のリブ溝７の中心までの幅（Ｐ１：例えば３．０６ｍｍ）は、リブ６のピッチ（Ｐ）よりも狭く設定されている（Ｐ１＜Ｐ）。これにより、リブ６のピッチ（Ｐ）を一定にしたまま、ベルト幅（Ｗ）が、リブ６のピッチ（Ｐ）と条数との積で求められる幅（Ｗ０）よりも狭く設定されている（Ｗ＜Ｗ０）。
【００１６】
ここで、リブゴム２は、例えばクロロプレンゴムなどからなり、帆布４は、例えばナイロン製の布をゴム糊に浸漬させてなる。また、心線５は、多数のフィラメントを撚り合わせたポリエステルコードなどであり、ベルト周方向に連続して、Ｖリブドベルト１に作用する引張力を受け持つ。
【００１７】
次に、Ｖリブドベルトの製造方法を説明する。図２はベルトスラブを砥石で切断する様子を示す断面図である。
【００１８】
まず、周知の手順により、環状かつ幅広で内周面及び外周面が平坦なベルトスラブ（平ベルト）を加硫成形した後、そのリブゴム２にリブプロファイル研磨を施すことにより、ベルト幅方向に一定のピッチ（Ｐ）でベルト周方向に連続する複数のリブ６を有する環状かつ幅広のベルトスラブ８を形成する。
【００１９】
次いで、ベルトスラブ８の切断箇所として、複数置きのリブ溝７の中心に沿って所定幅（ａ：例えば１ｍｍ以下）の除去部９を設定し、この除去部９を所定の厚さ（ａ）の砥石１０を回転させて研削する。これにより、除去部９が除去されつつ、ベルトスラブ８がベルト周方向かつリブ溝７の中心に沿ってベルト幅方向に切断される。
【００２０】
さらに、先に切断した部位からベルト幅方向に所定の間隔（Ｗ０）をあけて、別のリブ溝７に次の切断箇所を順次設定し、その切断箇所を同様の手順で切断することにより、ベルトスラブ８が所定のベルト幅（Ｗ）に順次幅裁されて、複数のＶリブドベルト１が得られる。
【００２１】
ここで、ベルトスラブ８を切断しつつ除去部９を除去するので、Ｖリブドベルト１の両側縁部の幅（Ｐ１）がリブ６のピッチ（Ｐ）よりもａ／２ずつ狭くなる（Ｐ１＝Ｐ−ａ／２）。これにより、Ｖリブドベルト１のベルト幅（Ｗ）は、リブ６のピッチ（Ｐ）の整数倍（図１においては７倍）である切断箇所の中心間隔（Ｗ０）よりもａだけ狭くなる（Ｗ＝Ｗ０−ａ）。
【００２２】
上記構成によれば、ベルトスラブ８を幅裁する際に、厚さ（ａ）の砥石１０で研削して幅（ａ）の除去部９を除去するので、Ｖリブドベルト１の両側縁部の幅（Ｐ１）を狭くすることができ、リブ６のピッチ（Ｐ）を変更することなくベルト幅（Ｗ）を狭くすることができる。
【００２３】
これにより、リブ６のピッチ（Ｐ）の共通化を図りつつ、レイアウトが複雑な場合や、プーリオフセットやミスアライメントが発生しやすい場合にも、ベルト側面とアイドラやプーリのフランジとの干渉による異音の発生やベルト破損を防止することができる。さらに、フランジの間隔を狭くすることができるので、プーリなどの配置スペースが狭い場合にも、そのフランジの取り付けを容易にすることができる。
【００２４】
なお、本発明は、上記の実施の形態に限定されるものではなく、本発明の範囲内において、適宜変更を加えることができる。例えば、図３に示すように、ベルトスラブ８を砥石１０で研削して切断する代わりに、所定の間隔（ａ）を空けて配置した二枚の刃物１１でベルトスラブ８を切断することにより、除去部９を除去しつつベルトスラブ８を切断することもできる。なお、刃物１１は、丸刃などを採用することができ、特に回転させる必要はない。
【図面の簡単な説明】
【００２５】
【図１】本発明に係るＶリブドベルトの断面図
【図２】ベルトスラブを砥石で切断する様子を示す断面図
【図３】ベルトスラブを二枚の刃物で切断する様子を示す断面図
【符号の説明】
【００２６】
１    Ｖリブドベルト
６    リブ
７    リブ溝
８    ベルトスラブ
９    除去部
１０  砥石
１１  刃物
【図１】
2009285754.tif 000003
【図２】
2009285754.tif 000004
【図３】
2009285754.tif 000005